(57)【要約】      （修正有）【課題】外部からの力が加わり、包装箱の形状が歪んだ場合であっても、開口部とフラップとの間に隙間が空きにくい包装箱を提供する。【解決手段】角筒体の側面をなす第一の側壁部５と、第二の側壁部１１と、第一の側壁部及び第二の側壁部と隣接する面取側壁部４，６，８，１０と、第一の開口辺５ａ，９ａから延出し、開口部の一部を開閉自在にされている第一のフラップ１３，１７と、第二の開口辺から延出し、開口部の一部を開閉自在にされている第二のフラップ１５，１９を少なくとも備え、第一のフラップは、第一の開口辺５ａの面取側壁部側の端部から、第一のフラップ１３が延びる方向に面取側壁部側に傾いて延びる第一のフラップ辺１３ａ，１３ｅを有し、開口部の少なくとも一部を閉じた際に外側にはみ出すはみ出し部を有する。【選択図】図３
0003210840.tif 000002
【実用新案登録請求の範囲】
【請求項１】
複数の矩形状の側壁部からなる角筒体の開口部の少なくとも一方を閉じた包装箱であって、
前記角筒体の側面をなす一組の第一の側壁部と、
前記第一の側壁部と交差する方向に延びる一組の第二の側壁部と、
前記第一の側壁部と前記第二の側壁部の間において前記第一の側壁部と前記第二の側壁部と交差する様に延び、前記第一の側壁部及び前記第二の側壁部と隣接する面取側壁部と、
前記第一の側壁部の前記開口部側の辺である第一の開口辺から延出し、前記開口部の少なくとも一部を開閉自在にされている第一のフラップと、
前記第二の側壁部の前記開口部側の辺である第二の開口辺から延出し、前記開口部の少なくとも一部を開閉自在にされている第二のフラップと、
を少なくとも備え、
前記第一のフラップは、
前記第一の開口辺の前記面取側壁部側の端部から、前記第一のフラップが延びる方向に前記面取側壁部側に傾いて延びる第一のフラップ辺を有し、
前記開口部の少なくとも一部を閉じた際に、前記角筒体の内側とは反対側である外側にはみ出すはみ出し部を有することを特徴とする
包装箱。
【請求項２】
前記第一のフラップは、
前記第一のフラップ辺の前記第一の開口辺とは反対側の端部から延出し、前記第一のフラップが延びる方向に向かって延びる第二のフラップ辺を更に有し、
前記第一のフラップ辺と前記第二のフラップ辺がなす角部が、円弧状の形状をしていることを特徴とする
請求項１に記載の包装箱。
【請求項３】
前記面取側壁部が、全ての前記第一の側壁部と前記第二の側壁部の間に設けられていることを特徴とする
請求項１又は請求項２に記載の包装箱。
【考案の詳細な説明】
【技術分野】
【０００１】
本考案は、包装箱に関する。
【背景技術】
【０００２】
複数の矩形の側壁部が隣接して筒状の形状をなした角筒体と、その角筒体の開口部の少なくとも一部を、角筒体をなす側壁部から延出したフラップにて閉じた包装箱が知られている。また、角筒体をなす隣り合う二つの側壁部の間に、幅の狭い矩形の側壁を設け、側面の角の部分（二つの側壁部が交わる角の部分）を面取りしたように形成された包装箱も知られている（例えば、特許文献１参照。）。
【先行技術文献】
【特許文献】
【０００３】
【特許文献１】特開平１１−２６３３３０公報
【考案の概要】
【考案が解決しようとする課題】
【０００４】
上述の特許文献１に記載された包装箱では、隣り合う側壁部の間に幅の狭い側壁を設けたことにより開口部の形状が八角形となり、通常の直方体の包装箱と比較して上下方向（即ち包装箱を積み重ねる方向）の強度が増した包装箱となっている。一方、この様にされた包装箱では、横方向（包装箱を積み重ねる方向と交差する方向）に力が加わるなどして、その開口部の形状が歪んだ際に、開口部の幅の狭い側壁の部分と、開口部を塞ぐフラップとの間に隙間が空いてしまう畏れがある。この場合には、その隙間から包装箱の内部に異物が入ってしまったり、隙間の部分に意図しない力が加わって開口部をなす側壁が破断してしまったりする畏れがあるという問題があった。
【０００５】
本考案は、上記の課題を解決するためになされたものであって、包装箱に外部からの力が加わり、その開口部の形状が歪んだ場合であっても、開口部とフラップとの間に隙間が空きにくい包装箱を提供することを目的とする。
【課題を解決するための手段】
【０００６】
上記目的を達成するために、本考案は、以下の手段を提供する。
本考案の包装箱は、複数の矩形状の側壁部からなる角筒体の開口部の少なくとも一方を閉じた包装箱であって、前記角筒体の側面をなす一組の第一の側壁部と、前記第一の側壁部と交差する方向に延びる一組の第二の側壁部と、前記第一の側壁部と前記第二の側壁部の間において前記第一の側壁部と前記第二の側壁部と交差する様に延び、前記第一の側壁部及び前記第二の側壁部と隣接する面取側壁部と、前記第一の側壁部の前記開口部側の辺である第一の開口辺から延出し、前記開口部の少なくとも一部を開閉自在にされている第一のフラップと、前記第二の側壁部の前記開口部側の辺である第二の開口辺から延出し、前記開口部の少なくとも一部を開閉自在にされている第二のフラップを少なくとも備え、前記第一のフラップは、前記第一の開口辺の前記面取側壁部側の端部から、前記第一のフラップが延びる方向に前記面取側壁部側に傾いて延びる第一のフラップ辺を有し、前記開口部の少なくとも一部を閉じた際に、前記角筒体の内側とは反対側である外側にはみ出すはみ出し部を有することを特徴とする包装箱。
【０００７】
上記考案においては、前記第一のフラップは、前記第一のフラップ辺の前記第一の開口辺とは反対側の端部から延出し、前記第一のフラップが延びる方向に向かって延びる第二のフラップ辺を更に有し、前記第一のフラップ辺と前記第二のフラップ辺がなす角部が、
円弧状の形状をしていることを特徴とすることが好ましい。
【０００８】
上記考案においては、前記面取側壁部が、全ての前記第一の側壁部と前記第二の側壁部の間に設けられていることを特徴とすることが好ましい。
【考案の効果】
【０００９】
本考案の包装箱によれば、第一のフラップに角筒体の外側にはみ出すはみ出し部が備えられていることから、包装箱の外部から力が加わるなどして、包装箱の開口部の形状が歪んだ場合であっても、開口部とフラップとの間に隙間が空きにくい。このため、外部からの異物が入りにくく、また意図しない力が隙間の部分に加わって、開口部をなす側壁が破断してしまうことが防がれるという効果を有する。
【図面の簡単な説明】
【００１０】
【図１】本考案による包装箱の一実施形態の斜視図である。
【図２】本考案による包装箱の一実施形態の展開図である。
【図３】本考案による包装箱の一実施形態の組立状態を示す斜視図である。
【図４】本考案による包装箱の一実施形態の部分拡大図である。
【考案を実施するための形態】
【００１１】
本考案の一実施形態に係る包装箱について、図１から図４を参照しながら説明する。本実施形態では、本考案にかかる包装箱が、果物や野菜などの農産物を収納し搬送する際に用いられるものである例に適用して説明する。なお、包装箱に収納する収納物としては農産物に限定される訳ではなく、衣類や食料品、工業製品など様々な物品であってよく、特に限定される訳ではない。なお、以降の説明において、前後、左右、上下の方向はそれぞれ図中に示す方向とする。また、各図において図が表されている側の面を表面、その反対側を裏面とする。
【００１２】
包装箱１は、図１や図３に示す様に、複数の矩形の側壁からなる角筒体の上下の開口部を、側壁の開口部側の辺から延びる複数のフラップによって閉じた略直方体の容器（箱）である。この包装箱１は、それぞれの側壁の間に幅の狭い矩形の側壁が隣接して設けられており、直方体の側面の角の部分が矩形に面取りされた形状をしている。
【００１３】
＜１．シート部材の構成＞
はじめにシート部材３の構成を図２に基づいて説明する。
シート部材３は、組み立てると包装箱１となるシート部材である。本実施形態では、このシート部材３が、段ボールシート材から形成されている例に適用して以降の説明を行うが、ボール紙やその他の折り曲げ可能なシート部材からなるものであってもよい。シート部材３は、図２に示す様な形状に予め裁断されており、シート部材３の所定の箇所には、組み立て作業が容易となるように折り線が設けられている。具体的には、シート部材３の図２の破線で示されている箇所に折り線が設けられている。
【００１４】
シート部材３には、一組の第一の側壁部５，９と、一組の第二の側壁部７，１１と、４つの面取側壁部４，６，８，１０と、一組の上面フラップ１３，１７と、一組の下面フラップ１４，１８と、一組の上面内側フラップ１５、１９と、一組の下面内側フラップ１６、２０が主に備えられている。
【００１５】
一組の第一の側壁部５，９、及び一組の第二の側壁部７，１１は、包装箱１の矩形の側壁をなすものである。第一の側壁部５，９は、包装箱１を組み上げた際に、相互に向かいあう一組の側壁となる部分であり、第二の側壁部７，１１は、包装箱１を組み上げた際に、第一の側壁部５，９とそれぞれ隣り合い、相互に向かい合う一組の側壁となる部分であ
る。シート部材３において、第一の側壁部５，９と第二の側壁部７，１１はそれぞれ交互に一列に並んで配置されている。具体的には、図２の左側から右側に向かって、第一の側壁部５、第二の側壁部７、第一の側壁部９、第二の側壁部１１の順番で一列に並んで配置されている。なお、以降の説明において、第一の側壁部５，９を「第一の側壁部」と、第二の側壁部７，１１を「第二の側壁部」とも記載する。また、第一の側壁部５，９及び第二の側壁部７，１１を総称して「側壁部」とも記載する。
【００１６】
第一の側壁部５，９及び第二の側壁部７，１１の上下方向の長さはそれぞれ略同一であり、第二の側壁部７，１１の左右方向の長さは、第一の側壁部５，９の左右方向の長さよりも短くなっている。なお、第二の側壁部７，１１の左右方向の長さは、第一の側壁部５，９の左右方向の長さよりも長くてもよく、或いは同じでもよい。
【００１７】
第一の側壁部５と第二の側壁部７との間、第二の側壁部７と第一の側壁部９との間、及び第一の側壁部９と第二の側壁部１１との間には、面取側壁部６，８，１０がそれぞれに隣接して設けられている。具体的には、第一の側壁部５の辺５ｂと第二の側壁部７の辺７ｄの間に面取側壁部６が、第二の側壁部７の辺７ｂと第一の側壁部９の辺９ｄの間に面取側壁部８が、第一の側壁部９の辺９ｂと第二の側壁部１１の辺１１ｄの間に面取側壁部１０がそれぞれ設けられている。また、第一の側壁部５の左側の辺５ｄと隣接して面取側壁部４が設けられている。これらの面取側壁部４，６，８，１０は、包装箱１を組み立てた際に、第一の側壁部と第二の側壁部と隣接する側壁となる部分である。なお、以降の説明において、面取側壁部４，６，８，１０を「面取側壁部」とも記載する。
【００１８】
この面取側壁部４，６，８，１０の上下方向の長さは、いずれも第一の側壁部及び第二の側壁部の上下方向の長さと略同一である。また、面取側壁部４，６，８，１０のそれぞれの左右方向の長さは、いずれも第二の側壁部７，１１の左右方向の長さよりも更に短い長さとなっている。
【００１９】
面取側壁部４の左側の辺４ｄからは、略台形の接合部２１が左側に向かって延出している。接合部２１は、包装箱１を組み上げる際に辺４ｄに設けられた折り線にしたがって、包装箱１の内側（以降において単に「内側」とも記載する。）に向かって折り曲げられ、第二の側壁部１１の裏面（包装箱１の内側に向かう面）に固定される部分である。
【００２０】
第一の側壁部５の上側の辺５ａから上面フラップ１３が、第一の側壁部９の上側の辺９ａから、上面フラップ１７がそれぞれ上側に延出している。この上面フラップ１３、及び上面フラップ１７は、包装箱１を組み立てた際に包装箱１の上面を形成する部分である。なお、上面フラップ１３と上面フラップ１７は略同一の形状をしている。以降において上面フラップ１３及び上面フラップ１７を総称して「上面フラップ」とも記載する。
【００２１】
上面フラップ１３，１７は、それぞれ辺５ａ及び辺９ａから離れるに従いその左右方向の幅が広がる台形領域と、台形領域から続いて延びる長方形の領域を有している。上面フラップ１３を例に具体的に説明すると、上面フラップ１３は、辺５ａと向かい合う辺１３ｃと、辺１３ｃの両端から、下側に向かってそれぞれ向かいあって平行に延びる一組の辺１３ｂ及び辺１３ｄと、辺１３ｂの下側の端部から辺５ａの右側の端部に斜めに向かって延びる斜辺１３ａと、辺１３ｄの下側の端部から辺５ａの左側の端部に向かって延びる斜辺１３ｅを有している。そして、この辺５ａ、斜辺１３ａ、及び斜辺１３ｅと、斜辺１３ａと斜辺１３ｅの上側の端部を結ぶ図示されていない直線にて囲まれている領域が前述の台形領域である。また、辺１３ｃ、辺１３ｂ、及び辺１３ｄと、斜辺１３ａと斜辺１３ｅの上側の端部を結ぶ図示されていない直線にて囲まれている部分が前述の長方形の領域である。
【００２２】
なお、斜辺１３ａと辺１３ｂがなす角度、及び斜辺１３ｅと辺１３ｄのなす角度はそれぞれ９０度より大きく、その角の部分は円弧状に形成されている。なお、以降においてこの様にされたフラップの角の部分を広角部とも記載する。
【００２３】
上面フラップ１７も上面フラップ１３と同様に、台形領域及び長方形領域を有している。具体的には、上面フラップ１７は、辺９ａと向かい合う辺１７ｃと、辺１７ｃの両端から下側に平行に延びる辺１７ｂ及び辺１７ｄと、辺１７ｂ及び辺１７ｄのそれぞれの下側の端部から斜めに延びる斜辺１７ａ、及び斜辺１７ｅを有している。そして斜辺１７ａ、斜辺１７ｅ、及び辺９ａと、斜辺１７ａと斜辺１７ｅの上側の端部を結ぶ図示されていない直線にて囲まれた部分が台形領域となっている。また、辺１７ｂ、辺１７ｃ及び辺１７ｄと、斜辺１７ａと斜辺１７ｅの上側の端部を結んだ図示されていない直線にて囲まれた部分が長方形の領域となっている。また、斜辺１７ａと辺１７ｂが交わる角部、及び斜辺１７ｅと辺１７ｄが交わる角部は、それぞれ円弧状に形成された広角部となっている。
【００２４】
なお、上面フラップ１３，１７の長方形領域の左右方向の長さはそれぞれ同一の長さＬ１となっている。この長さＬ１は、包装箱１の上側の開口部の前後方向の長さＬ２（即ち包装箱１の第二の側壁部７と第二の側壁部１１の間の長さ）と略同一である（図１参照）。また、上面フラップ１３，１７の上下方向の長さＷ１は、包装箱１の上側の開口部の左右方向の長さＷ２（即ち包装箱１の第一の側壁部５と第一の側壁部９の距離）の約半分の長さとなっている（図１参照）。このため、包装箱１を組み立てる際に、上面フラップ１３，１７をそれぞれ第一の側壁部５，９に対して略垂直となる様に内側に曲げた閉じた状態とすると、上側の開口部が完全に塞がれる。なお、Ｗ１の長さをＷ２の半分よりも短い長さとしてもよく、この場合には、上面フラップ１３，１７を閉じた状態とした時に、それぞれ向かい合う辺１３ｃと辺１７ｃの間に隙間が空くことになる。
【００２５】
上面フラップ１７において、斜辺１７ａと辺９ａのなす角度Ａ１は、包装箱１の第一の側壁部９と面取側壁部１０がなす角度Ｂ１よりも大きな角度となっている（図３参照）。また、斜辺１７ｅと辺９ａのなす角度Ａ２は、包装箱１の第一の側壁部９と面取側壁部８がなす角度Ｂ２よりも大きくなっている（図３参照）。上面フラップ１３においても同様に、斜辺１３ａと辺５ａのなす角度は、包装箱１の第一の側壁部５と面取側壁部６がなす角度よりも大きくなっている。また、斜辺１３ｅと辺５ａのなす角度は、包装箱１の第一の側壁部５と面取側壁部４のなす角度よりも大きな角度となっている。
【００２６】
第二の側壁部７の上側の辺７ａから上面内側フラップ１５が、第二の側壁部１１の上側の辺１１ａから上面内側フラップ１９がそれぞれ上側に延出している。上面内側フラップ１５、１９（以降において「上面内側フラップ」あるいは「内側フラップ」とも記載する。）は、包装箱１を組み立てる際に、それぞれ第二の側壁部７，１１に対して略直角に折り曲げられ、上側の開口部の少なくとも一部を塞ぐ部分である。なお、上面内側フラップ１５と上面内側フラップ１９は略同一の形状をしており、その左右方向の長さは、それぞれ第二の側壁部７及び第二の側壁部１１の左右方向の長さと略同一である。また、その上下方向の長さは、上面フラップ１３，１７の上下方向の長さ（Ｗ１）と略同一の長さとなっている。なお、上面内側フラップ１５、１９の上下方向の長さはＷ１よりも短くても、長くてもよい。
【００２７】
第一の側壁部５の下側の辺５ｃから、下面フラップ１４が、第一の側壁部９の下側の辺９ｃから、下面フラップ１８が、それぞれ下側に延出している。この下面フラップ１４、及び下面フラップ１８は、包装箱１の下側の開口部の少なくとも一部を塞ぐ包装箱１の下面を形成するものである。なお以降において、この下面フラップ１４及び下面フラップ１８を総称して「下面フラップ」とも記載する。
【００２８】
下面フラップ１４の形状は、上面フラップ１３と上下対称の形状をしている。即ち、上面フラップ１３を１８０度反転した形状をしている。具体的には、下面フラップ１４は、辺５ｃと向かい合う辺１４ｃと、辺１４ｃの両端から上側に向かって平行に延びる一組の辺１４ｂ及び辺１４ｄと、辺１４ｂ及び辺１４ｄの上側の端部から辺５ｃの両端に向かって斜めに延びる斜辺１４ａ及び斜辺１４ｅを有している。そして、斜辺１４ａと辺５ｃのなす角度は、包装箱１を組み上げた際の第一の側壁部５と面取側壁部６がなす角度よりも大きな角度となっている。また、斜辺１４ｅと辺５ｃのなす角度は、包装箱１を組み上げた際の第一の側壁部５と面取側壁部４がなす角度よりも大きくなっている。また、斜辺１４ａと辺１４ｂが交わる角部、及び斜辺１４ｅと辺１４ｄが交わる角部はそれぞれ円弧状に形成された広角部となっている。
【００２９】
下面フラップ１８も下面フラップ１４と同様に、その形状は上面フラップ１７を１８０度反転した形状をしている。即ち下面フラップ１８は、辺９ｃと向かい合う辺１８ｃと、辺１８ｃの両端から上側に向かって平行に延びる一組の辺１８ｂ及び辺１８ｄと、辺１８ｂ及び辺１８ｄの上側の端部から辺９ｃの両端に向かって斜めに上側に延びる斜辺１８ａ及び斜辺１８ｅとを有している。そして、斜辺１８ａと辺９ｃのなす角度は、包装箱１の第一の側壁部９と面取側壁部１０がなす角度よりも大きくなっている。また、斜辺１８ｅと辺９ｃのなす角度は、包装箱１の第一の側壁部９と面取側壁部８のなす角度よりも大きな角度となっている。更に斜辺１８ａと辺１８ｂの交わる角部、及び斜辺１８ｅと辺１８ｄの交わる角部はそれぞれ円弧状に形成された広角部となっている。
【００３０】
第二の側壁部７の下側の辺７ｃから、下面内側フラップ１６が、第二の側壁部１１の下側の辺１１ｃから下面内側フラップ２０がそれぞれ下側に延出している。この下面内側フラップ１６、２０は、包装箱１を組み立てる際に、それぞれ第二の側壁部７，１１に対して略直角に折り曲げられ、下側の開口部の少なくとも一部を塞ぐ部分である。なお、下面内側フラップ１６と下面内側フラップ２０は略同一の形状をしており、更には、上面内側フラップ１５、１９とも略同一の形状をしている。以降において、下面内側フラップ１６、２０を「下面内側フラップ」あるいは「内側フラップ」とも記載する。
【００３１】
下面内側フラップ１６、２０の左右方向の長さは、それぞれ第二の側壁部７及び第二の側壁部１１の左右方向の長さと略同一である。また、その上下方向の長さは、下面フラップ１４，１８の上下方向の長さと略同一となっている。なお、下面内側フラップ１６、２０の上下方向の長さは下面フラップ１４，１８の上下方向の長さよりも短くても、長くてもよい。
【００３２】
本実施形態における第一の側壁部５の上側の辺５ａと下側の辺５ｃ、及び第一の側壁部９の上側の辺９ａと下側の辺９ｃが、実用新案登録請求の範囲における第一の開口辺とされている。また、第二の側壁部７の上側の辺７ａと下側の辺７ｃ及び第二の側壁部１１の上側の辺１１ａと下側の辺１１ｃが、実用新案登録請求の範囲における第二の開口辺とされている。また、上面フラップ１３，１７及び下面フラップ１４，１８が実用新案登録請求の範囲における第一のフラップと、上面内側フラップ１５、１９及び下面内側フラップ１６、２０が実用新案登録請求の範囲における第二のフラップとされている。また、上面フラップ１３，１７及び下面フラップ１４，１８における斜辺１３ａ，１３ｅ，１４ａ，１４ｅなどの斜辺が、実用新案登録請求の範囲における第一のフラップ辺とされており、辺１３ｂ及び辺１３ｄや辺１４ｂ及び辺１４ｄなどの一組の平行に延びる辺が、実用新案登録請求の範囲における第二のフラップ辺とされている。
【００３３】
＜２．包装箱の組立＞
次いで、図２から図４を主に参照して、包装箱１の組立方法について説明を行う。
はじめに、第一の側壁部と隣接する面取側壁部の間、及び第二の側壁部と隣接する面取
側壁部の間に設けられている折り線にて、それぞれの側壁部及び面取側壁部を内側の方向に折り曲げる。また、面取側壁部４と接合部２１の間に設けられている折り線にて接合部２１も内側の方向に折り曲げる。そして、接合部２１の表側の面を第二の側壁部１１の裏側の右側の辺１１ｂに沿った部分に辺４ｄと辺１１ｂが重なり合う様にして当接させ、接着材などの公知の手段によって固定する。この様にすると、第一の側壁部、第二の側壁部及び面取側壁部が、断面が略八角形の角筒体を形成する。
【００３４】
次いで、下面内側フラップ１６、２０を、それぞれ第二の側壁部７，１１に対して略直角となるように内側に折り曲げ、前述の角筒体の下側の開口部の一部を塞ぐようにする。次に、下面フラップ１４，１８をそれぞれ第一の側壁部５，９に対して略直角になる様に内側に折り曲げ、下面内側フラップ１６、２０の外側の面に当接するにする。このとき、下面フラップ１４の辺１４ｃと下面フラップ１８の辺１８ｃはそれぞれ当接して包装箱１の下側の開口を完全に塞ぎ、包装箱１の下面を形成する。
【００３５】
続いて、上面内側フラップ１５、１９をそれぞれ、第二の側壁部７，１１に対して略直角となるように内側に折り曲げ、前述の角筒体の上側の開口部の一部を塞ぐようにする。次に、上面フラップ１３，１７をそれぞれ第一の側壁部５，９に対して略直角になる様に内側に折り曲げ、上面内側フラップ１５、１９の外側の面に当接させるようにして閉じる。このとき、上面フラップ１３の辺１３ｃと上面フラップ１７の辺１７ｃはそれぞれ当接して包装箱１の上側の開口を完全にふさぎ、包装箱１の上面を形成する。
【００３６】
ここで、第一の側壁部、第二の側壁部、及び面取側壁部がなす包装箱１の側面の角の部分について、主に図４を参照して説明を行う。図４は、第一の側壁部５、面取側壁部４及び第二の側壁部１１がなす、包装箱１の側面の角部の下側の拡大図である。
【００３７】
前述の様に、下面フラップ１４の斜辺１４ｅと辺５ｃがなす角度は、包装箱１の第一の側壁部５と面取側壁部４がなす角度よりも大きな角度となっている。このため、包装箱１を組み上げると、図４に示す様に、下面フラップ１４の広角部（斜辺１４ｅと辺１４ｄがなす角部）を含む一部の部分が面取側壁部４の下側の辺４ｃよりも外側にはみ出す。このはみ出す領域（図４に示す領域Ｅ）は、第一の側壁部５の辺５ｄの下側の端部から第二の側壁部１１の方に向かって離れるにつれその面積が広くなる略三角形の形状となっている。
【００３８】
包装箱１は、下面フラップ１４にこの様な領域Ｅがあることで、例え包装箱１に外部から力が加わり、その下側の開口部の形状が歪んだとしても、包装箱１の開口部と下側フラップとの間に隙間が空きにくくなっている。具体的に説明すると、例えば包装箱１の側面に力が加わってその角筒体の開口部の形状が歪み、面取側壁部４の辺４ｄの位置が辺５ｄを軸に外側に移動したとしても、領域Ｅがあることによって辺４ｄを含む下側の開口部は下面フラップ１４によって塞がれることになる。
【００３９】
このことは、下面フラップ１４の他方の部分についても同様である。即ち、下面フラップ１４の斜辺１４ａと辺５ｃのなす角度は、包装箱１の第一の側壁部５と面取側壁部６がなす角度よりも大きな角度となっているため、下面フラップ１４の広角部（斜辺１４ａと辺１４ｂがなす角部）を含む略三角形の部分が、面取側壁部６の下側の辺６ｃよりも外側にはみ出している。
【００４０】
また、下面フラップ１８、上面フラップ１３、及び上面フラップ１７についても同様であり、それぞれのフラップの広角部を含む略三角形の部分が、それぞれ隣接する面取側壁部の辺よりも外側にはみ出している。なお、この領域Ｅなどの外側にはみ出す略三角形の部分が実用新案登録請求の範囲におけるはみ出し部とされている。
【００４１】
上記の構成からなる包装箱１によれば、上面フラップ及び下面フラップの広角部を含む略三角形の部分（はみ出し部）が、隣接する面取側壁部よりも外側にはみ出している。このため、例えば包装箱１に対して外側から力が加わり包装箱１の開口の形状が歪んだ場合であっても隙間が空きにくい包装箱１を提供することが可能となる。また、このはみ出す部分は、略三角形の形状をしているため、包装箱１を搬送したりする場合などにおいても邪魔になりにくい。
【００４２】
また、はみ出し部に含まれる広角部は、円弧状に形成されているため、例えば包装箱１を搬送等する場合であっても外部のものに引っかかりにくく、邪魔になりにくい。また、全ての第一の側壁部と第二の側壁部との間に面取側壁部を設けていることから、一般的な直方体の包装箱と比べて、包装箱の側面の角の部分が引っかかる様なことがない。また、包装箱１を積み上げる場合には、その加重を第一の側壁部及び第二の側壁部に加えて面取側壁部でも支えることになるため、一般的な直方体の包装箱と比べて強い包装箱を提供することができる。
【００４３】
なお、本考案の技術範囲は上記実施形態に限定されるものではなく、本考案の趣旨を逸脱しない範囲において種々の変更を加えることが可能である。例えば、上記の実施の形態においては、第一の側壁部５と第一の側壁部９が略同一の大きさをしている例に適用して説明したが、第一の側壁部５と第一の側壁部９の左右方向の長さが異なり、上面フラップ１３，１７及び下面フラップ１４，１８がそれぞれの側壁部の長さに対応した長さとなっているものであってもよい。また、第二の側壁部７と第二の側壁部１１についても同様に左右方向の長さが異なるものであり、上面内側フラップ１５、１９及び下面内側フラップ１６、２０がそれぞれの側壁部の長さに対応した長さとなっているものであってもよい。
【００４４】
また、上記実施形態では、包装箱１をなす角筒体が第一の側壁部と第二の側壁部の二組の側壁部からなるものである例に適用して説明を行ったが、第三の側壁部などを有した３組以上の側壁部を有するものであってもよい。また、包装箱１の組立手段は、手作業によるものであっても、専用の包装箱組立装置によるものであってもよい。
【符号の説明】
【００４５】
１・・・包装箱    ３・・・シート部材    ５，９・・・第一の側壁部
７，１１・・・第二の側壁部    ４，６，８，１０・・・面取側壁部
１３，１７・・・上面フラップ    １４，１８・・・下面フラップ
１５、１９・・・上面内側フラップ    １６、２０・・・下面内側フラップ
２１・・・接合部
【図１】
0003210840.tif 000003
【図２】
0003210840.tif 000004
【図３】
0003210840.tif 000005
【図４】
0003210840.tif 000006